(57)【要約】【課題】特定の種類の印刷業務にだけ、印刷装置の動作モードの微調整を適用することを目的とする。【解決手段】印刷装置は、印刷ジョブデータを印刷媒体に印刷する印刷手段と、印刷ジョブデータを印刷媒体に印刷する条件の特定に用いる印刷特徴情報およびその印刷特徴情報に対応する印刷条件情報を登録する登録手段と、印刷ジョブデータを受信する受信手段と、受信した印刷ジョブデータに対して登録手段に登録されている印刷特徴情報が合致するかどうかを解析し、合致する場合は対応する印刷条件情報を登録手段から抽出する抽出手段と、抽出した印刷条件情報に基づいて受信した印刷ジョブデータを印刷する際に印刷手段を制御する制御手段とを備える。【選択図】図１
2008080713.tif 000002
【特許請求の範囲】
【請求項１】
印刷ジョブデータを印刷媒体に印刷する印刷手段と、
印刷ジョブデータを印刷媒体に印刷する条件の特定に用いる印刷特徴情報およびその印刷特徴情報に対応する印刷条件情報を登録する登録手段と、
印刷ジョブデータを受信する受信手段と、
前記受信した印刷ジョブデータに対して前記登録手段に登録されている印刷特徴情報が合致するかどうかを解析し、合致する場合は対応する印刷条件情報を前記登録手段から抽出する抽出手段と、
前記抽出した印刷条件情報に基づいて前記受信した印刷ジョブデータを印刷する際に前記印刷手段を制御する制御手段と、を備える印刷装置。
【請求項２】
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記登録手段は、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録する請求項１に記載の印刷装置。
【請求項３】
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録手段は、前記印刷特徴情報およびその印刷特徴情報に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する請求項１に記載の印刷装置。
【請求項４】
印刷装置の制御方法であって、
印刷ジョブデータを印刷媒体に印刷する条件の特定に用いる印刷特徴情報およびその印刷特徴情報に対応する印刷条件情報を登録手段に登録するステップと、
印刷ジョブデータを受信するステップと、
前記受信した印刷ジョブデータに対して前記登録手段の印刷特徴情報が合致するかどうかを解析し合致する場合は対応する印刷条件情報を前記登録手段から抽出するステップと、
前記抽出した印刷条件情報に基づいて前記受信した印刷ジョブデータを印刷する際に前記印刷手段を制御するステップと、を備える印刷装置の制御方法。
【請求項５】
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記登録ステップは、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録する請求項４に記載の印刷装置の制御方法。
【請求項６】
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録ステップは、前記印刷特徴情報およびその印刷特徴情報に対応する印字位置、
印刷倍率、印刷濃度、現像パラメータ、転写パラメータ、印刷速度、印刷間隔、定着温度、印刷媒体の大きさおよび印刷文字の大きさのうちの少なくとも１つを登録する請求項４に記載の印刷装置の制御方法。
【請求項７】
印刷装置の制御プログラムであって、
コンピュータに、印刷ジョブデータを印刷媒体に印刷する条件の特定に用いる印刷特徴情報およびその印刷特徴情報に対応する印刷条件情報を登録手段に登録するステップと、
印刷ジョブデータを受信するステップと、
前記受信した印刷ジョブデータに対して前記登録手段の印刷特徴情報が合致するかどうかを解析し合致する場合は対応する印刷条件情報を前記登録手段から抽出するステップと、
前記抽出した印刷条件情報に基づいて前記受信した印刷ジョブデータを印刷する際に前記印刷媒体に印刷する印刷手段を制御するステップと、を実行させる印刷装置の制御プログラム。
【請求項８】
印刷装置と、前記印刷装置に印刷ジョブデータを送信するホストコンピュータとを有する印刷システムであって、
前記印刷装置は、
印刷ジョブデータを印刷媒体に印刷する印刷手段と、
印刷ジョブデータを印刷媒体に印刷する条件の特定に用いる印刷特徴情報およびその印刷特徴情報に対応する印刷条件情報を登録する登録手段と、
印刷ジョブデータを受信する受信手段と、
前記受信した印刷ジョブデータに対して前記登録手段に登録されている印刷特徴情報が合致するかどうかを解析し、合致する場合は対応する印刷条件情報を前記登録手段から抽出する抽出手段と、
前記抽出した印刷条件情報に基づいて前記受信した印刷ジョブデータを印刷する際に前記印刷手段を制御する制御手段と、を備える印刷システム。
【発明の詳細な説明】
【技術分野】
【０００１】
本発明は、動作モード自動設定機能を備えた印刷装置に関する。
【背景技術】
【０００２】
一般的に、印刷装置の機種を変更した場合、仕様公差や個体差の影響を受けるため、印字位置（アライメント）や各種特性に変化が生じる。例えば、帳票印刷業務では、印刷装置の機種を変更した場合、変更後の印刷装置に対して変更前の印刷装置の印字位置を仕様公差以上の精度で継承させたいという要求がある。その要求に答えるため、変更後の印刷装置に対して、印刷装置の動作モード（印刷条件）の微調整を行う必要がある。動作モードには、例えば、印字位置、印字濃度等がある。
【特許文献１】特開平６−８５４２号公報
【特許文献２】特開平６−８６０３３号公報
【特許文献３】特開平７−１７７７号公報
【特許文献４】特開平８−１４２４４１号公報
【特許文献５】特開平９−９９６０７号公報
【特許文献６】特開２０００−３３９１２２号公報
【特許文献７】特開２００５−３１６８７４号公報
【発明の開示】
【発明が解決しようとする課題】
【０００３】
しかし、従来の印刷装置で上記微調整を行った場合、その微調整はすべての印刷結果に反映される。そのため、微調整を適用したくない印刷業務に悪影響を与える可能性がある。印刷業務毎に微調整を行うか否かを選択する場合や印刷業務毎に異なる微調整を行う場合は、ホストコンピュータ（サーバ、パーソナルコンピュータ等を含む）側の印刷業務を行う個々のソフトウェアやプリンタドライバ等で微調整を行う必要がある。印刷業務をシステムで行う場合、印刷装置の機種を変更しても、それ以外のシステム中の要素（ホストコンピュータ、ソフトウェア、プリンタドライバ、ハードウェア、印刷媒体等）は、全く変更したくない、あるいは変更できない場合がある。しかしながら、上記ソフトウェアで微調整を行う場合、変更後の印刷装置に対して変更前の印刷装置の印字位置を継承させるために、システム中の要素を変更することが要求されるという問題がある。また、印刷装置が備える印刷機構を変更したり微調整したりするのは、手間がかかる。さらに、印刷装置が備える印刷機構の変更や微調整は、すべての印刷業務に一律その影響が及ぶため個々の印刷業務に対応することができない。
【０００４】
本発明は、特定の種類の印刷業務にだけ、印刷装置の動作モードの微調整を適用することを目的とする。
【課題を解決するための手段】
【０００５】
本発明は、上記課題を解決するために、以下の手段を採用した。すなわち、本発明による印刷装置は、印刷ジョブデータを印刷媒体に印刷する印刷手段と、印刷データを印刷媒体に印刷する条件の特定に用いる印刷特徴情報およびその印刷情報に対応する印刷条件情報を登録する登録手段と、印刷ジョブデータを受信する受信手段と、前記受信した印刷ジョブデータに対して前記登録手段の印刷特徴情報が合致するかどうかを解析し合致する場合は対応する印刷条件情報を前記登録手段から抽出する抽出手段と、前記受信した印刷ジョブデータを印刷する際に前記抽出した印刷条件情報に基づいて前記印刷手段を制御する制御手段と、を備える。本発明の印刷装置によれば、予め登録しておいた印刷特徴情報に合致する特定の印刷ジョブデータに対してのみ、対応する印刷条件情報の微調整を適用し
て、印刷を行うことが可能となる。また、印刷特徴情報に合致しない印刷ジョブデータについては、印刷条件情報の影響を受けることなくそのまま印刷を行うことができる。
【０００６】
また、本発明による印刷装置は、前記印刷特徴情報が、印刷条件情報とは直接関係の無い、印刷ジョブデータサイズ、印刷日時、印刷ジョブ名、印刷アプリケーション名、ユーザー名、ホストコンピュータ名であり、前記登録手段が、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録してもよい。
【０００７】
また、本発明による印刷装置は、前記印刷条件情報が、印字位置、印刷倍率、印刷濃度、現像パラメータ、転写パラメータ、印刷速度、印刷間隔、定着温度、印刷媒体の大きさおよび印刷文字の大きさであり、前記登録手段が、前記印刷特徴情報およびその印刷特徴情報に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録してもよい。
【０００８】
また、本発明は、コンピュータその他の装置、機械等が上記いずれかの処理を実行する方法であってもよい。また、本発明は、コンピュータその他の装置、機械等に、以上のいずれかの機能を実現させるプログラムであってもよい。また、本発明は、そのようなプログラムをコンピュータ等が読み取り可能な記録媒体に記録したものでもよい。また、本発明は、以上のいずれかの機能を備える印刷装置と、前記印刷装置に印刷ジョブデータを送信するホストコンピュータとを有する印刷システムであってもよい。
【発明の効果】
【０００９】
本発明によれば、システム中のプリンタ以外の要素（ホストコンピュータ、オペレーティングシステム、アプリケーションソフトウェア、プリンタドライバ等）を変更することなく、特定の種類の印刷業務にだけ、印刷装置の動作モードの微調整を適用し、他の一般の印刷業務には微調整を適用しないことが可能となる。
【発明を実施するための最良の形態】
【００１０】
以下、図面を参照して本発明の実施をするための最良の形態（以下、実施形態という）に係る印刷装置システムについて説明する。以下の実施形態の構成は例示であり、本発明は実施形態の構成には限定されない。
【００１１】
図１は、本実施形態の印刷装置システムの構成図である。本実施形態の印刷装置１は、パーソナルコンピュータ２からデータを受信するインターフェース部３、印刷装置１全体を制御する制御部４、印刷部５、印刷機構６、記録部７および設定パネル８を備える。インターフェース部３は、データの送受信を行う機能を備えており、パーソナルコンピュータ２とデータの送受信を行う。図１に示すパーソナルコンピュータ２は一般的であり、ここではその説明を省略する。
【００１２】
制御部４は、インターフェース部３、印刷部５、記録部７および設定パネル８とそれぞれバスを介して接続されている。また、制御部４は、印刷部５に対して印刷の指示を行う。具体的には、インターフェース部３を介してパーソナルコンピュータ２から受信した印刷ジョブデータを印刷部５に送る。
【００１３】
印刷部５は、印刷媒体に印刷を行う印刷機構６に指示を与える。本実施形態では、印刷媒体は、例えば紙やＯＨＰシートなどである。また、紙には、無地のものや罫線が引かれ
たもの（例えば、伝票や帳票など）が含まれる。印刷機構６は、予め設定されている動作モードに従って印刷媒体に対して印刷を行う。
【００１４】
また、印刷部５は、動作モードを変更する指示である微調整量のデータを制御部４から受け取った場合、印刷機構６に設定されている動作モードを変更する指示を印刷機構６に与える。動作モードを変更する指示を受け取った印刷機構６は、予め設定されている動作モードを変更して、印刷媒体に対して印刷を行う。
【００１５】
制御部４および印刷部５は、ＣＰＵ（Central Processing Unit）であり、印刷装置１
が備える図示しないＲＯＭ（Read Only Memory）に記録されたプログラムに従って、各種処理を実行する。また、制御部４および印刷部５の処理を一つのＣＰＵで実行することも可能である。
【００１６】
記録部７は、印刷ジョブデータの特徴群とその特徴群に対応する微調整量を記録する不揮発性のメモリである。不揮発性のメモリは、例えばフラッシュメモリを用いてもよい。印刷ジョブデータのデータ構造は、ヘッダー部分とそのヘッダー部分に続く印刷データ部分から成る。ヘッダー部分は、印刷ジョブデータの始まりの数百バイト程の部分である。ヘッダー部分には、印刷ジョブ名、ユーザー名、パーソナルコンピュータ名（ホストコンピュータ名）、作成アプリケーション名（印刷アプリケーション名）、印刷日時、データサイズ、印刷ジョブデータサイズ等の情報が含まれている。印刷ジョブデータの特徴群とは、印刷ジョブデータに含まれる特定のデータであり、印刷機構６に設定されている動作モードを変更する対象となる印刷データを含む印刷ジョブデータを識別するためのものである。本実施形態においては、印刷ジョブデータが備えるヘッダー部分に含まれる情報を印刷ジョブデータの特徴群としている。
【００１７】
また、記録部７は、印刷ジョブデータの特徴群とその特徴群と対となる微調整量を対応づけた微調整テーブル９を有している。設定パネル８は、微調整テーブル９の特徴群（特徴情報）や微調整量（印刷条件）を設定するために、ユーザーからの入力を受け付ける。微調整テーブル９の設定はパーソナルコンピュータ２からインターフェース部３、制御部４を経由して、オンラインで行うこともできる。この方法だと、設定の入力がより簡便になる。
【００１８】
図２を用いて、本実施形態の制御部４の動作を説明する。図２は、本実施形態の制御部４の動作説明のフローである。
【００１９】
まず、制御部４は、印刷ジョブデータを待っている状態にある。インターフェース部３がパーソナルコンピュータ２から印刷ジョブデータを受信したことを契機に制御部４は、動作を開始する（Ｓ０１）。制御部４は、インターフェース部３がパーソナルコンピュータ２から印刷ジョブデータを受信した場合、インターフェース部３から印刷ジョブデータを受け取る（Ｓ０２）。そして、制御部４は、受け取った印刷ジョブデータを印刷装置１が備えるワークメモリ（図示せず）に記録する。さらに、制御部４は、インターフェース部３から受け取った印刷ジョブデータを解析する（Ｓ０３）。制御部４は、インターフェース部３から受け取った印刷ジョブデータに含まれる特徴群が、微調整テーブル９に記録されているか否かを判定する（Ｓ０４）。
【００２０】
インターフェース部３から受け取った印刷ジョブデータに含まれる特徴群が、微調整テーブル９に記録されている場合、制御部４は、インターフェース部３から受け取った印刷ジョブデータおよびその印刷ジョブデータに対応する微調整量のデータを、印刷部５に送る（Ｓ０５）。一方、インターフェース部３から受け取った印刷ジョブデータに含まれる特徴群が、微調整テーブル９に記録されていない場合、制御部４は、インターフェース部
３から受け取った印刷ジョブデータを、標準の印刷パラメータで印刷部５に送る（Ｓ０６）。
【００２１】
制御部４は、印刷ジョブデータを受け取った印刷部５からの印刷完了の報告を受け取る。そして、印刷部５から印刷完了の報告を受け取った制御部４は、ワークメモリに記録されている動作モードを初期化する（Ｓ０７）。印刷部５から印刷完了の報告を受け取り、ワークメモリに記録されている動作モードを初期化した場合、制御部４は、印刷ジョブデータの待ち状態となる。
【００２２】
印刷部５は、制御部４から印刷ジョブデータを受け取った場合、印刷ジョブデータに含まれる印刷データを印刷媒体に印刷するように印刷機構６を制御する。印刷機構６が印刷データを印刷媒体に印刷することを、本実施形態では、印刷処理という。
【００２３】
印刷部５は、印刷ジョブデータに対応する微調整量のデータを受け取っている場合、その微調整量のデータを適用した動作モードで印刷処理を実行するように印刷機構６を制御する。すなわち、印刷部５は、制御部４から受け取った微調整量のデータ分だけ動作モードを変更して、印刷ジョブデータに含まれる印刷データを印刷媒体に印刷するように印刷機構６を制御する。一方、微調整不用な場合、印刷部５は、標準の印刷パラメータで印刷機構６を制御する。
【００２４】
図３は、記録部７が備える微調整テーブル９の構成図である。微調整テーブル９には、印刷ジョブデータの特徴群とその特徴群に対応する微調整量が記録される。微調整テーブル９の特徴群には、印刷ジョブデータの特徴が記録される。また、微調整テーブル９の微調整量には、印刷機構６にデフォルトで設定されている動作モードを変更するための変更値が記録されている。
【００２５】
微調整テーブル９の特徴群は、インターフェース部３が受信した印刷ジョブデータに、微調整テーブル９に記録されている特徴群のいずれかが含まれているかを制御部４が判定するために用いられる。例えば、印刷ジョブデータに含まれる印刷データのサイズは、印刷業務によっては特定のデータサイズとなる。そして、印刷データの送信元のアドレスは、印刷業務によっては特定のアドレスとなる。また、印刷データを作成するアプリケーションは、印刷業務によっては特定のアプリケーションとなる。そのため、印刷ジョブデータに含まれる情報を、特定の業務を識別するための特徴として利用することが可能となる。
【００２６】
図３を参照して、印刷機構６が行う印刷処理の例を説明する。インターフェース部３がパーソナルコンピュータ２から受け取った印刷ジョブデータに含まれる印刷データのサイズが、ｍｍｋｂ（キロバイト）であり、データ場所を示すアドレスがｃｃｃの場合、微調整テーブル９の特徴群に記録されている種類１の特徴と合致している。この場合、制御部４は、微調整テーブル９を検索し、微調整テーブル９から、種類１の微調整量を抽出する。図３に示すように、制御部４が抽出する種類１の微調整量は、走査方向＝−０．５、搬送＝＋０．３という値となる。走査方向および搬送は、印字位置の調整を行うためのパラメータである。制御部４は、その抽出した走査方向＝−０．５、搬送＝＋０．３という値を印刷部５に送る。
【００２７】
微調整テーブル９に記録されている走査方向＝−０．５は、印刷機構６に設定されている走査方向のデフォルト値を−０．５の値だけ変更するという意味である。また、微調整テーブル９に記録されている搬送＝＋０．３は、印刷機構６に設定されている搬送のデフォルト値を＋０．３の値だけ変更するという意味である。
【００２８】
そして、印刷部５は、印刷機構６に設定されているデフォルト値を、走査方向＝−０．５、搬送＝＋０．３という値だけ変更して、印刷処理を実行させるように印刷機構６を制御する。印刷機構６は、デフォルト値が変更された値を用いて、印刷媒体に印刷を行う。例えば、印刷機構６に設定されているデフォルト値を、走査方向＝−０．５、搬送＝＋０．３の値だけ変更した場合、印刷媒体のＸ軸方向が−０．５ｍｍ、Ｙ軸方向が＋０．３ｍｍ変更された状態で印刷媒体が印刷される。
【００２９】
インターフェース部３がパーソナルコンピュータ２から受け取った印刷ジョブデータに含まれる印刷データのサイズが、ｄｄｋｂ（キロバイト）であり、印刷データの作成に使用されたアプリケーション名がｅｅｅの場合、微調整テーブル９の特徴群に記録されている種類２の特徴と合致している。この場合、制御部４は、微調整テーブル９を検索し、微調整テーブル９から、種類２の微調整量を抽出する。図３に示すように、制御部４が抽出する種類２の微調整量は、濃度＝＋１、温度＝＋１という値となる。制御部４は、その抽出した濃度＋１、温度＝＋１という値を印刷部５に送る。
【００３０】
そして、印刷部５は、印刷機構６に設定されているデフォルト値を、濃度＝＋１、温度＝＋１という値だけ変更して、印刷処理を実行させるように印刷機構６を制御する。印刷機構６は、デフォルト値が変更された値を用いて、印刷媒体に印刷を行う。例えば、印刷媒体に対して印刷を行う印刷濃度が５段階に分類されており、印刷機構６の印刷濃度のデフォルト値を３に設定しておく。印刷機構６に設定されているデフォルト値を、濃度＝＋１、温度＝＋１の値だけ変更した場合、印刷媒体の印刷濃度は４となり、印刷媒体に対する定着温度が＋１℃となった状態で印刷媒体が印刷される。
【００３１】
印刷部５は、印刷機構６の印刷処理が完了した場合、制御部４に対して印刷完了の報告を送る。図３で示す微調整テーブル９は予め設定されている。例えば、設定パネル８をユーザーが操作することにより、微調整テーブル９の特徴群および微調整量を設定することが可能である。また、例えば、インターフェース部３を介してパーソナルコンピュータ２から、特徴群のデータおよび微調整量のデータを取り込むことにより、微調整テーブル９の特徴群および微調整量を設定することが可能である。
【００３２】
微調整テーブル９の特徴群には、図３で示した以外にも、例えば、印刷ジョブデータに含まれるデータパターン、印刷実行者、業務パターン、印刷ジョブ名、ユーザー名、パーソナルコンピュータ名、日時等がある。
【００３３】
印刷ジョブデータに含まれるデータパターンは、印刷業務によっては特定のデータパターンになる可能性が高い。印刷ジョブデータに含まれる印刷実行者は、印刷業務によっては特定の印刷実行者になる。印刷ジョブに含まれる業務パターンは、印刷業務によっては特定の業務パターンになる可能性が高い。印刷ジョブに含まれる印刷ジョブ名は、印刷業務によっては特定の印刷ジョブ名となる。印刷ジョブに含まれるユーザー名は、印刷業務によっては特定のユーザー名となる。印刷ジョブに含まれるパーソナルコンピュータ名は、印刷業務によっては特定のパーソナルコンピュータ名となる。印刷ジョブデータに含まれる日時等は、印刷業務によっては特定の日時となる可能性が高い。そのため、印刷ジョブデータに含まれるこれらの情報を、特定の業務を識別するための特徴として利用することが可能となる。
【００３４】
微調整テーブル９の微調整量には、図３で示した以外にも、例えば、現像パラメータ、転写パラメータ、印刷速度、印刷間隔、主走査方向印字位置、副走査方向印字位置、縦画伸縮、横画伸縮、スキュー（斜行）量、用紙サイズ置き換え、文字フォント置き換え等がある。
【００３５】
現像パラメータは、例えば、印刷機構６がドラムを備える場合、そのドラムにトナーを付着させる際の電圧や周波数の強さである。また、転写パラメータは、例えば、印刷機構６がドラムを備える場合、ドラムに付着されたトナーを印刷媒体に付着させる際の電圧や周波数の強さである。印刷媒体が厚紙やＯＨＰシートである場合は、トナーを厚紙やＯＨＰシートに付着させる電圧を強くする。印刷媒体が薄紙である場合は、トナーを薄紙に付着させる電圧を弱くする。
【００３６】
印刷速度により、印刷媒体に印字する速度を変更することが可能である。縦画伸縮、横画伸縮により、印刷倍率を変更することが可能となる。用紙サイズ置き換えにより、印刷媒体の大きさを変更することが可能となる。また、文字フォント置き換えにより、印刷文字の大きさを変更することが可能となる。これらの微調整量も印刷業務によっては、印刷する際に微調整として適用したい場合がある。そのため、これらの微調整量を、微調整テーブル９に設定しておくことにより、印刷機構６に設定されている動作モードのデフォルト値を変更することが可能となる。
【００３７】
パーソナルコンピュータ２から受信する印刷ジョブデータに含まれる特徴群が、微調整テーブル９に記録されているかを制御部４は判定する。印刷ジョブデータに含まれる特徴群が、微調整テーブル９に記録されている場合、制御部４は、印刷ジョブデータおよび微調整量のデータを印刷部５に送る。印刷ジョブデータおよび微調整量のデータを受け取った印刷部５は、微調整量のデータ分だけ、印刷機構６に設定されている動作モードを変更するように印刷機構６を制御する。
【００３８】
本実施形態の印刷装置システムによれば、特定の印刷ジョブデータのみに対して、微調整を適用した動作モードで印刷媒体に印刷を行うことが可能となる。すなわち、微調整を適用したい印刷ジョブデータに対してのみ、微調整を適用した動作モードで印刷媒体に印刷を行うことが可能となる。
【００３９】
また、本実施形態の印刷装置システムによれば、印刷ジョブデータのデータ構造を変更せずに、特定の種類の印刷業務にだけ微調整を適用した動作モードで印刷媒体に印刷を行うことが可能となる。
【００４０】
また、本実施形態の印刷装置システムによれば、パーソナルコンピュータ２、パーソナルコンピュータ２に組み込まれる印刷ソフトウェア、印刷媒体等を全く変更せずに、特定の種類の印刷業務にだけ微調整を適用した動作モードで印刷媒体に印刷を行うことが可能となる。したがって、印刷装置１以外の要素の変更を必要とせずに、特定の印刷業務にだけ微調整を適用した動作モードで印刷媒体に印刷を行うことができる。
【００４１】
また、本実施形態の印刷装置システムによれば、印刷装置１が備える印刷機構６についても、機械的構成を変更せずに、特定の種類の印刷業務にだけ微調整を適用した動作モードで印刷媒体に印刷を行うことが可能となる。
【００４２】
〈コンピュータ読み取り可能な記録媒体〉
コンピュータに上記いずれかの機能を実現させるプログラムをコンピュータが読み取り可能な記録媒体に記録することができる。そして、コンピュータに、この記録媒体のプログラムを読み込ませて実行させることにより、その機能を提供させることができる。ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。また、コンピュータに
固定された記録媒体としてハードディスクやＲＯＭ等がある。
【００４３】
（付記１）
印刷ジョブデータを印刷媒体に印刷する印刷手段と、
印刷ジョブデータを印刷媒体に印刷する条件の特定に用いる印刷特徴情報およびその印刷特徴情報に対応する印刷条件情報を登録する登録手段と、
印刷ジョブデータを受信する受信手段と、
前記受信した印刷ジョブデータに対して前記登録手段に登録されている印刷特徴情報が合致するかどうかを解析し、合致する場合は対応する印刷条件情報を前記登録手段から抽出する抽出手段と、
前記抽出した印刷条件情報に基づいて前記受信した印刷ジョブデータを印刷する際に前記印刷手段を制御する制御手段と、を備える印刷装置。
【００４４】
（付記２）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記登録手段は、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録する付記１に記載の印刷装置。
【００４５】
（付記３）
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録手段は、前記印刷特徴情報およびその印刷特徴情報に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記１に記載の印刷装置。
【００４６】
（付記４）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録手段は、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記１に記載の印刷装置。
【００４７】
（付記５）
印刷装置の制御方法であって、
印刷ジョブデータを印刷媒体に印刷する条件の特定に用いる印刷特徴情報およびその印刷特徴情報に対応する印刷条件情報を登録手段に登録するステップと、
印刷ジョブデータを受信するステップと、
前記受信した印刷ジョブデータに対して前記登録手段の印刷特徴情報が合致するかどう
かを解析し合致する場合は対応する印刷条件情報を前記登録手段から抽出するステップと、
前記抽出した印刷条件情報に基づいて前記受信した印刷ジョブデータを印刷する際に前記印刷手段を制御するステップと、を備える印刷装置の制御方法。
【００４８】
（付記６）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記登録ステップは、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録する付記５に記載の印刷装置の制御方法。
【００４９】
（付記７）
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録ステップは、前記印刷特徴情報およびその印刷特徴情報に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記５に記載の印刷装置の制御方法。
【００５０】
（付記８）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録ステップは、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記５に記載の印刷装置の制御方法。
【００５１】
（付記９）
印刷装置の制御プログラムであって、
コンピュータに、印刷ジョブデータを印刷媒体に印刷する条件の特定に用いる印刷特徴情報およびその印刷特徴情報に対応する印刷条件情報を登録手段に登録するステップと、
印刷ジョブデータを受信するステップと、
前記受信した印刷ジョブデータに対して前記登録手段の印刷特徴情報が合致するかどうかを解析し合致する場合は対応する印刷条件情報を前記登録手段から抽出するステップと、
前記抽出した印刷条件情報に基づいて前記受信した印刷ジョブデータを印刷する際に前記印刷媒体に印刷する印刷手段を制御するステップと、を実行させる印刷装置の制御プログラム。
【００５２】
（付記１０）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記登録ステップは、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録する付記９に記載の印刷装置の制御プログラム。
【００５３】
（付記１１）
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録ステップは、前記印刷特徴情報およびその印刷特徴情報に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記９に記載の印刷装置の制御プログラム。
【００５４】
（付記１２）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録ステップは、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記９に記載の印刷装置の制御プログラム。
【００５５】
（付記１３）
印刷装置と、前記印刷装置に印刷ジョブデータを送信するホストコンピュータとを有する印刷システムであって、
前記印刷装置は、
印刷ジョブデータを印刷媒体に印刷する印刷手段と、
印刷ジョブデータを印刷媒体に印刷する条件の特定に用いる印刷特徴情報およびその印刷特徴情報に対応する印刷条件情報を登録する登録手段と、
印刷ジョブデータを受信する受信手段と、
前記受信した印刷ジョブデータに対して前記登録手段に登録されている印刷特徴情報が合致するかどうかを解析し、合致する場合は対応する印刷条件情報を前記登録手段から抽出する抽出手段と、
前記抽出した印刷条件情報に基づいて前記受信した印刷ジョブデータを印刷する際に前記印刷手段を制御する制御手段と、を備える印刷システム。
【００５６】
（付記１４）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記登録手段は、印刷ジョブデータサイズ、印刷日時、印刷ジョブ名、印刷アプリケー
ション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印刷条件情報を登録する付記１３に記載の印刷システム。
【００５７】
（付記１５）
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録手段は、前記印刷特徴情報およびその印刷特徴情報に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記１３に記載の印刷システム。
【００５８】
（付記１６）
前記印刷特徴情報は、印刷条件情報とは直接関係の無い、印刷ジョブデータサイズ、印刷日時、印刷ジョブ名、印刷アプリケーション名、ユーザー名、ホストコンピュータ名であり、
前記印刷条件情報は、印字位置、印刷倍率、印刷濃度、現像パラメータ、転写パラメータ、印刷速度、印刷間隔、定着温度、印刷媒体の大きさおよび印刷文字の大きさであり、
前記登録手段は、印刷ジョブデータサイズ、印刷日時、印刷ジョブ名、印刷アプリケーション名、ユーザー名、ホストコンピュータ名のうちの少なくとも１つを登録し、その登録される印刷ジョブデータサイズ、印刷日時、印刷ジョブ名、印刷アプリケーション名、ユーザー名、ホストコンピュータ名に対応する印字位置、印刷倍率、印刷濃度、現像パラメータ、転写パラメータ、印刷速度、印刷間隔、定着温度、印刷媒体の大きさおよび印刷文字の大きさのうちの少なくとも１つを登録する付記１３に記載の印刷システム。
【図面の簡単な説明】
【００５９】
【図１】本実施形態の印刷装置システムの構成図である。
【図２】本実施形態の制御部４の動作説明のフローである。
【図３】記録部７が備える微調整テーブル９の構成図である。
【符号の説明】
【００６０】
１    印刷装置
２    パーソナルコンピュータ
３    インターフェース部
４    制御部
５    印刷部
６    印刷機構
７    記録部
８    設定パネル
９    微調整テーブル
【図１】
2008080713.tif 000003
【図２】
2008080713.tif 000004
【図３】
2008080713.tif 000005